【手続補正書】
【提出日】平成26年12月11日(2014.12.11)
【手続補正１】
【補正対象書類名】明細書
【補正対象項目名】００３４
【補正方法】変更
【補正の内容】
【００３４】
１つ以上の殺菌剤とは、例えば以下を含む：
トリアゾール類（triazoles）、例えば、
アミトロール（amitrole）、アゾシクロチン（azocyclotin）、ＢＡＳ  ４８０Ｆ、ビテルタノール（bitertanol）、ジフェノコナゾール（difenoconazole）、フェンブコナゾール（fenbuconazole）、フェンクロラゾール（fenchlorazole）、フェネタニル（fenethanil）、フルキンコナゾール（fluquinconazole）、フルシラゾール（flusilazole）、フルトリアホル（flutriafol）、イミベンコナゾール（imibenconazole）、イサザホス（isazofos）、ミクロブタニル（myclobutanil）、オプス（opus）、パクロブタゾール（paclobutazol）、ペンコナゾール（penconazole）、テトラコナゾール（tetraconazole）、トリジアメフォン（tridiamefon）、トリジアメノール（tridiamenol）、トリアペンテノール（triapenthenol）、トリフルミゾール（triflumizole）、ユニコナゾール（uniconazole）；
２−（１−クロロ−シクロプロピル）−１−（２−クロロフェニル）−３−（１Ｈ−１，２，４−トリアゾール−１−イル）プロパン−２−オール（2-(1-chloro-cyclopropyl)-1-(2-chlorophenyl)-3-(1H-1,2,4-triazol-1-yl)propan-2-ol）、２−（ｔｅｒｔ−ブチル）−１−（２−クロロ−フェニル）−３−（１Ｈ−１，２，４−トリアゾール−１−イル）プロパン−２−オール（2-(tert-butyl)-1-(2-chloro-phenyl)-3-(1H-1,2,4-triazol-1-yl)propan-2-ol）、（±）−シス−１−（４−クロロフェニル）−２−（１Ｈ−１，２，４−トリアゾール（ｔｒａｉｚｏｌ）−１−イル）シクロヘプタノール（(±)-cis-1-(4-chlorophenyl)-2-(1H-1,2,4-triazol-1-yl)cycloheptanol）、
アザコノール（azaconole）：１−（［２−（２，４−ジクロロフェニル）−１，３−ジオキソラン−２−イル］メチル）−１Ｈ−１，２，４−トリアゾール（1-([2-(2,4-dichlorophenyl)-1,3-dioxolan-2-yl]methyl)-1H-1,2,4-triazole）、
プロピコナゾール（propiconazole）：１−［２−（２，４−ジクロロフェニル）−４−プロピル−１，３−ジオキソラン−２−イル］メチル−１Ｈ−１，２，４−トリアゾール（1-[2-(2,4-dichlorophenyl)-4-propyl-1,3-dioxolan-2-yl]methyl-1H-1,2,4-triazole）、
テブコナゾール（tebuconazole）：１−ｐ−クロロフェニル−４，４−ジメチル−３（１Ｈ−１，２，４−トリアゾール−１−イル−メチル）ペンタン−３−オール（1-p-chlorophenyl-4,4-dimethyl-3(1H-1,2,4-triazol-1-yl-methyl)pentan-3-ole）、
シプロコナゾール（cyproconazole）：２−（４−クロロフェニル）−３−シクロプロピル−１−（１Ｈ−１，２，４−トリアゾール−１−イル）ブタン−２−オール（2-(4-chlorophenyl)-3-cyclopropyl-1-(1H-1,2,4-triazol-1-yl)butan-2-ole）、
メトコナゾール（metconazole）：５−［（４−クロロフェニル）メチル］−２，２−ジメチル−１−（１Ｈ−１，２，４−トリアゾール−１−イルメチル）シクロペンタノール（5-[(4-chlorophenyl)methyl]-2,2-dimethyl-1-(1H-1,2,4-triazol-1-ylmethyl)cyclopentanol）；
イミダゾール類（imidazoles）、例えば：
イマザリル（imazalil）、ペフラゾエート（pefurazoate）、プロクラロズ（prochloraz）、トリフルミゾール（triflumizole）、２−（１−ｔｅｒｔ−ブチル）−１−（２−クロロフェニル）−３−（１，２，４−トリアゾール−１−イル）プロパン−２−オール（2-(1-tert-butyl)-1-(2-chlorophenyl)-3-(1,2,4-triazol-1-yl)propan-2-ol）；
チアゾールカルボキサニリド類（thiazole carboxanilides）、例えば、２’，６’−ジブロモ−２−メチル−４−トリフルオロメトキシ−４’−トリフルオロメチル−１，３−チアゾール−５−カルボキサニリド（2’,6’-dibromo-2-methyl-4-trifluoromethoxy-4’-trifluoromethyl-1,3-thiazole-5-carboxanilide;）；
銅塩類（copper salts）、例えば：
硫酸銅（copper sulphate）、炭酸銅（copper carbonate）、炭酸水酸化銅（copper hydroxide carbonate）、二水酸化銅（copper dihydroxide）、塩化銅（copper chloride）、銅−アンモニウム錯体（copper-ammonium complexes）、銅アミン錯体（copper amine complexes）、銅−ジアゼニウム錯体（copper-diazenium complexes）および硫酸銅（copper sulphate）、炭酸銅（copper carbonate）、炭酸水酸化銅（copper hydroxide carbonate）、および塩化銅（copper chloride）を、微粉化型の粒子として（粒径が３０ｎｍ〜５０μｍ、および好ましくは１００ｎｍ〜５００ｎｍ）；
混合塩類（mixed salts）、例えば：
銅／ホウ素混合物（copper/boron mixtures）、銅／クロム／ホウ素混合物（copper/chromium/boron mixtures）、銅／クロム／ヒ素混合物（copper/chromium/arsenic mixtures）；
コハク酸デヒドロゲナーゼ抑制剤類（succinate dehydrogenase inhibitors）、例えば：
フェンフラム（fenfuram）、フルカルバニル（furcarbanil）、シクラフルラミド（cyclafluramid）、フルメシクロクス（furmecyclox）、シードバクス（seedvax）、メトスルホバクス（metsulfovax）、ピロカルボリド（pyrocarbolide）、オキシカルボキシン（oxycarboxin）、シルラン（Shirlan）、メベニル（メプロニル）（mebenil (mepronil)）、ベノダニル（benodanil）、フルトラニル（モンクト）（flutolanil (Moncut)）；
ナフタレン誘導体（naphthalene derivatives）、例えば：
テルビナフィン類（terbinafines）、ナフチフィン類（naftifines）、ブテナフィン類（butenafines）、３−クロロ−７−（２−アザ−２，７，７−トリメチル−オクト−３−エン−５−イン）（3-chloro-7-(2-aza-2,7,7-trimethyl-oct-3-en-5-in）；
スルフェンアミド類（sulphenamides）、例えば：
ジクロフルアニド（dichlorofluanid）、トリルフルアニド（tolylfluanid）、フォルペット（folpet）、フルオルフォルペット（fluorofolpet）、カプタン（captan）、カプトフォール（captofol）；
ベンゾイミダゾール（benzimidazoles）、例えば：
カルベンダジム（carbendazim）、ベノミル（benomyl）、フラチオカルブ（furathiocarb）、フベリジアゾール（fuberidiazole）、チオフォナトメチル（thiophonate methyl）；
チアベンダゾール類またはそれらの塩類（thiabendazoles or salts thereof）；
チオシアナート類（thiocyanates）、例えば：
チオシアナートメチル（thiocyanatomethyl）、チオベンゾチアゾール（thiobenzothiazole）、メチレンビスチオシアナート（methylene bisthiocyanate）；
第四アンモニウム化合物（quaternary ammonium compounds）、例えば：
アルキルジメチルベンジルアンモニウムクロライド（alkyl dimethyl benzyl ammonium chloride）、プロピオネート（propionate）および／またはカーボネート（carbonate）、ベンジルジメチルテトラデシルアンモニウムクロライド（benzyl dimethyl tetradecyl ammonium chloride）、プロピオネート（propionate）および／またはカルボネート（carbonate）、ベンジルジメチルドデシルアンモニウムクロライド（benzyl dimethyl dodecyl ammonium chloride）、プロピオネート（propionate）および／またはカーボネート（carbonate）、ジデシルジメチルアンモニウムクロライド（didecyl dimethyl ammonium chloride）、プロピオネート（propionate）および／またはカーボネート（carbonate）、ココアルキルトリメチルアンモニウムクロライド（coco alkyl trimethyl ammonium  chloride）、プロピオネート（propionate）および／またはカーボネート（carbonate）、ジデシルメチルポリ（オキシエチル）アンモニウムクロライド（didecylmethylpoly(oxyethyl)ammonium chloride）、プロピオネート（propionate）および／またはカーボネート（carbonate）、
モルホリン誘導体（morpholine derivatives）、例えば：
トリデモルフ（tridemorph）、フェンプロピモルフ（fenpropimorph）、ファリモルフ（falimorph）、ジメトモルフ（dimethomorph）、ドデモルフ（dodemorph）、アルジモルフ（aldimorph）、フェンプロピジン（fenpropidin）、ならびにそれらのアリールスルホン酸塩（salts thereof formed with aryl sulphonic acids）、例えば、トルエンスルホン酸塩（toluene sulphonic acid）およびｐ−ドデシルフェニル−スルホン酸塩（p-dodecyl phenyl sulphonic acid）など；
ヨウ素誘導体（iodine derivatives）、例えば：
ジヨードメチル−ｐ−スルホン（diiodomethyl-p-sulfone）、３−ヨード−２−プロピニルアルコール（3-iodo-2-propinyl alcohol）、４−クロロフェニル−３−ヨードプロパルギルホルマール（4-chlorophenyl-3-iodopropargylformal）、３−ブロモ−２，３−ジヨード−２−プロペニルエチルカルバメート（3-bromo-2,3-diiodo-2-propenylethyl carbamate）、２，３，３−トリヨードアリルアルコール、３−ブロモ−２，３−ジヨード−２−プロペニルアルコール（2,3,3-triiodoallyl alcohol, 3-bromo-2,3-diiodo-2-propenyl alcohol）、６−ヨード−３−オキソヘクス−５−イン−オルブチルカルバメート（6-iodo-3-oxohex-5-in-olbutyl carbamate）、６−ヨード−３−オキソヘクス−５−イン−フェニルカルバメート（6-iodo-3-oxohex-5-in-phenyl carbamate）、３−ヨード−２−プロピニル−ｎ−ヘキシルカルバメート（3-iodo-2-propinyl-n-hexyl carbamate）、３−ヨード−２−プロピニルシクロヘキシル−カルバメート（3-iodo-2-propinylcyclohexyl carbamate）、３−ヨード−２−プロピニルフェニルカルバメート（3-iodo-2-propinylphenyl carbamate）、３−ヨード−２−プロピニルブチルカルバメート（3-iodo-2-propinylbutyl carbamate）；
フェノール誘導体類（phenol derivatives）、例えば：
トリブロモフェノール（tribromophenol）、テトラクロロフェノール（tetrachlorophenol）、３−メチル−４−クロロフェニル（3-methyl-4-chlorophenyl）、ジクロロフェン（dichlorophen）、ｏ−フェニルフェノール（o-phenyl phenol）、ｍ−フェニルフェノール（m-phenyl phenol）、ｐ−フェニルフェノール（p-phenyl phenol）、２−ベンジル−４−クロロフェノール（2-benzyl-4-chlorophenol）；
臭素誘導体類（bromine derivatives）、例えば：
２−ブロモ−２−ニトロ−１，３−プロパンジオール（2-bromo-2-nitro-1,3-propane diol）；
イソチアゾリノン類（isothiazolinones）、例えば：
Ｎ−メチルイソチアゾリン−３−ワン（N-methyl isothiazolin-3-one）、５−クロロ−Ｎ−メチルイソチアゾリン−３−ワン（5-chloro-N-methyl isothiazolin-3-one）、４，５−ジクロロ−Ｎ−オクチルイソチアゾリン−３−ワン（4,5-dichloro-N-octyl isothiazolin-3-one）、４，５−ジクロロ−２−オクチル−２Ｈ−イソチアゾール−３−ワン（4,5-dichloro-2-octyl-2H-isothiazol-3-one）、Ｎ−オクチルイソチアゾリン−３−ワン（N-octyl isothiazolin-3-one）、ベンゾイソチアゾリノン（benzoisothiazolinone）、４，５−トリメチレンイソチアゾリノン（4,5-trimethylene isothiazolinone）；
ピリジン類（pyridines）またはピリミジン類（pyrimidines）、例えば：
１−ヒドロキシ−２−ピリジンチオン（およびそれらのＮａ、Ｆｅ、Ｍｎ、Ｚｎ塩）（1-hydroxy-2-pyridinethione (and salts thereof formed with Na, Fe, Mn, Zn)）、テトラクロロ−４（メチル−スルホニル）ピリジン（tetrachloro-4(methyl-sulfonyl)pyridine）、ピリメタニル（pyrimethanil）、メパニピリム（mepanipyrim）、ジピリチオン（dipyrithione）；
金属石鹸（metal soaps）、例えば：
ナフテン酸スズ、ナフテン酸銅もしくはナフテン酸亜鉛、オクタン酸スズ、オクタン酸銅もしくはオクタン酸亜鉛、スズ２−エチルヘキサノエート、銅２−エチルヘキサノエートもしくは亜鉛２−エチルヘキサノエート、オレイン酸スズ、オレイン酸銅もしくはオレイン酸亜鉛、リン酸スズ、リン酸銅もしくはリン酸亜鉛、または安息香酸スズ、安息香酸銅もしくは安息香酸亜鉛；
酸化物類（oxides）、例えば：
トリブチルスズオキサイド（tributyl tin oxide）、Ｃｕ２Ｏ、ＣｕＯ、ＺｎＯ；
ジアルキルジチオカルバメート類（dialkyl diothiocarbamates）、例えば：
ジアルキルジチオカルバメートのＮａ塩およびＺｎ塩（Na and Zn salts of dialkyl diothiocarbamates）、テトラメチルチウラムジスルフィド（tetramethyl thiuram disulphide）、ジチオカルバメート類（dithio carbamates）、クフラネブ（cufraneb）、フェルバム（ferbam）、マンコッパー（mancopper）、マンコゼブ（mancozeb）、マネブ（maneb）、メタム（metam）、メチラム（metiram）、チラム（thiram）、ジネブ（zineb）、ジラム（ziram）；
ニトリル類（nitriles）、例えば：
２，４，５，６−テトラクロロイソフタロジニトリル（2,4,5,6-tetrachloroisophthalodinitrile）、２，３，５，６−テトラ−フルオロテレフタロジニトリル2,3,5,6-tetra-fluoroterephthalodinitrile；
ベンゾチアゾール類（benzothiazoles）、例えば：
２−メルカプトベンゾチアゾール（2-mercaptobenzothiazole）；
キノリン類（quinolines）、例えば：
８−ヒドロキシキノリンおよびそれらの銅塩（8-hydroxyquinoline and salts thereof formed with copper）；ベンズアミド類（benzamides）、例えば：
２−６−ジクロロ−Ｎ−（４−トリフルオロメチルベンジル）ベンズアミド（ＸＲＤ−５６３）（2-6-dichloro-N-(4-trifluoromethylbenzyl)benzamide (XRD-563)）；
ホウ素化合物（boron compounds）、例えば：
ホウ酸（boric acid）、ホウ酸エステル類（boric acid esters）、ボラックス（borax）、酸化ホウ素（boron oxide）、八ホウ酸二ナトリウム四水和物（disodium octoborate tetrahydrate）、四ホウ酸二ナトリウム（disodium tetraborate）；
ホルムアルデヒド（formaldehyde）およびホルムアルデヒド放出化合物（formaldehyde releasing compounds）、例えば：
ベンジルアルコールモノ（ポリ）ヘミホルマール（benzyl alcohol mono(poly)hemiformal）、オキサゾリジン（oxazolidine）、ヘキサヒドロ−ｓ−トリアジン（hexahydro-s-triazine）、Ｎ−メチロールクロロアセトアミド（N-methylol chloroacetamide）、パラホルムアルデヒド（paraformaldehyde）、ニトロピリン（nitropyrin）、オキソリン酸（oxalinic acid）、テクロフタラム（tecloftalam）；
ジアゼニウム化合物類（diazenium compounds）、例えば：
トリス−Ｎ−（シクロヘキシルジアゼニウムジオキシ）アルミニウム（tris-N-(cyclohexyldiazeniumdioxy)aluminium）、Ｎ−（シクロヘキシルジアゼニウムジオキシ）トリブチルスズまたはそれらのＫ塩（N(cyclohexyl-diazeniumdioxy)tributyl tin or salts thereof formed with K）、ビス−Ｎ−（シクロヘキシルジアゼニウムジオキシ）銅（bis-N-(cyclohexyldiazeniumdioxy)copper;）；
ならびに／あるいは
ソルビン酸の塩類（salts of sorbic acid）、例えば：
ソルビン酸ナトリウム（sodium sorbate）、ソルビン酸カリウム（potassium sorbate）。